(57)【要約】【課題】従来の電子ペンでは、テストや添削などの具体的な場面を想定して、電子ペンで記載した情報を受信して、処理をすることは考慮されていない。【解決手段】第一の用紙に対して、電子ペンで記載した情報を特定する情報である第一記載情報を有する第一ペン記載情報を受信する第一ペン記載情報受信部と、第二の用紙に対して、電子ペンで記載した情報を特定する情報である第二記載情報を有する第二ペン記載情報を受信する第二ペン記載情報受信部と、第一記載情報に基づいて、第一の用紙の利用者を決定する利用者決定部と、利用者決定部が決定した利用者に関する情報と対応付けて、第二ペン記載情報または第二ペン記載情報に基づく情報を蓄積する第二ペン記載情報蓄積部を具備する情報処理装置により、電子ペンの利用者を特定するための用紙と、必要な情報を記載する用紙を分離して扱うことができる。【選択図】  図２
2004362023.tif 000002
【特許請求の範囲】
【請求項１】
第一の媒体に対して、電子ペンで記載した情報を特定する情報である第一記載情報を有する第一ペン記載情報を受信する第一ペン記載情報受信部と、
第二の媒体に対して、電子ペンで記載した情報を特定する情報である第二記載情報を有する第二ペン記載情報を受信する第二ペン記載情報受信部と、
前記第一記載情報に基づいて、前記第一の媒体の利用者を決定する利用者決定部と、
前記利用者決定部が決定した利用者に関する情報と対応付けて、前記第二ペン記載情報または前記第二ペン記載情報に基づく情報を蓄積する第二ペン記載情報蓄積部を具備する情報処理装置。
【請求項２】
前記第一ペン記載情報は、第一記載情報と、前記電子ペンを識別する電子ペン識別子を有し、
前記第二ペン記載情報は、第二記載情報と、前記電子ペンを識別する電子ペン識別子を有し、
前記第二ペン記載情報蓄積部は、前記利用者決定部が決定した利用者に関する情報と対応付けて、前記第二ペン記載情報または前記第二ペン記載情報に基づく情報、および電子ペン識別子を蓄積する請求項１記載の情報処理装置。
【請求項３】
前記第二ペン記載情報蓄積部が蓄積した情報を出力する指示を受け付ける情報出力指示受付部と、
前記情報出力指示受付部で指示を受け付けた指示に従って、前記第二ペン記載情報蓄積部が蓄積した情報を出力する情報出力部をさらに具備する請求項１または請求項２いずれか記載の情報処理装置。
【請求項４】
前記利用者に関する情報は、テストの解答の情報である解答情報であり、
前記第二ペン記載情報または前記第二ペン記載情報に基づく情報は、テストの採点に関する情報を構成する情報である採点構成情報であり、
テストの正解を示す情報である正解情報と解答情報を有する正解解答情報を１以上格納している正解解答情報格納部と、
前記正解解答情報と前記採点構成情報に基づいて、採点者の採点の精度に関する採点精度情報を取得する採点精度情報取得部と、
前記採点精度情報を出力する採点精度情報出力部をさらに具備する請求項１または請求項２いずれか記載の情報処理装置。
【請求項５】
前記第一の媒体は、裏面に貼付用の接着剤を含む媒体である請求項１から請求項４いずれか記載の情報処理装置。
【請求項６】
請求項５記載の情報処理装置に送信される第一ペン記載情報を構成する情報が電子ペンにより記載される第一の媒体。
【請求項７】
コンピュータに、
第一の媒体に対して、電子ペンで記載した情報を特定する情報である第一記載情報を有する第一ペン記載情報を受信する第一ペン記載情報受信ステップと、
第二の媒体に対して、電子ペンで記載した情報を特定する情報である第二記載情報を有する第二ペン記載情報を受信する第二ペン記載情報受信ステップと、
前記第一記載情報に基づいて、前記第一の媒体の利用者を決定する利用者決定ステップと、前記利用者決定部が決定した利用者に関する情報と対応付けて、前記第二ペン記載情報または前記第二ペン記載情報に基づく情報を蓄積する第二ペン記載情報蓄積ステップを実行させるためのプログラム。
【請求項８】
前記第二ペン記載情報蓄積ステップで蓄積した情報を出力する指示を受け付ける情報出力指示受付ステップと、
前記情報出力指示受付ステップで指示を受け付けた指示に従って、第二ペン記載情報蓄積ステップで蓄積した情報を出力する情報出力ステップをさらに具備する請求項７記載のプログラム。
【請求項９】
前記利用者に関する情報は、テストの解答の情報である解答情報であり、
前記第二ペン記載情報または前記第二ペン記載情報に基づく情報は、テストの採点に関する情報を構成する情報である採点構成情報であり、
テストの正解を示す情報である正解情報と解答情報を有する正解解答情報を１以上格納している正解解答情報格納ステップと、
前記正解解答情報と前記採点構成情報に基づいて、採点者の採点の精度に関する採点精度情報を取得する採点精度情報取得ステップと、
前記採点精度情報を出力する採点精度情報出力ステップをさらに具備する請求項７記載のプログラム。
【発明の詳細な説明】
【０００１】
本発明は、電子ペンから情報を受信し、当該情報を処理する情報処理装置およびそのプログラム等に関する。
【０００２】
【従来の技術】
従来、記載した情報を外部に送信できる電子ペンとしてアノト社の電子ペンがある（非特許文献１参照）。この電子ペンは、通常のペンに超小型カメラ、画像認識装置、それにＢｌｕｅｔｏｏｔｈ（Ｂｌｕｅｔｏｏｔｈは「テレフオンアクチーボラゲット  エル  エム  エリクソン」社の登録商標。）送受信装置を備え付けたもので、専用紙に書かれた手書きの内容を読み取り、解析し、パソコン、携帯電話、ファックス等の情報通信機器に即時送受信できるものである。
【０００３】
なお、ブルートゥース（Ｂｌｕｅｔｏｏｔｈ）とは、無線通信規格であり、伝送距離は送信電力が１ｍＷのときに約１０ｍと、省電力、短距離を意識した無線規格である。また、送信電力を上げることにより、現在のところ、最大で１００ｍまで伝送距離を伸ばすことがえきる。
【０００４】
また、現在、普及している教育用の添削方法は、採点者が赤色のペンで、生徒が書いた解答用紙に、丸付けをしたりコメントを記載したり、得点を記載したりするものである。
【０００５】
【非特許文献１】
アノト日本株式会社ホームページ、インターネット＜ＵＲＬ：ｈｔｔｐ：／／ｗｗｗ．ａｎｏｔｏ．ｊｐ／ｔｓｕｉｔｅ．ｈｔｍｌ＞
【０００６】
【発明が解決しようとする課題】
しかし、非特許文献１による電子ペンの技術では、テストや添削などの具体的な場面を想定して、電子ペンで記載した情報を受信して、処理をすることは考慮されていない。
【０００７】
具体的には、例えば、テストや添削の受講生にシールになった受講生を識別するための情報を記載する用紙（第一の用紙）を１枚以上保持させて、別途、テストや添削の問題用紙（第二の用紙）を保持させて、第一の用紙を第二の用紙に貼り付けてテストや添削に取り組むことを想定していない。また、電子ペンを利用する者を特定するために記載するシート（第一の用紙）と、電子ペンで記載したい内容（テストの解答や採点の情報）を記入する用紙（第二の用紙）を分離して保持するということを想定していない。
【０００８】
したがって、上記の電子ペンの技術を単に利用するだけでは、教育現場の種々の要請に答えることができなかった。
【０００９】
【課題を解決するための手段】
そこで、第一の発明は、第一の媒体に対して、電子ペンで記載した情報を特定する情報である第一記載情報を有する第一ペン記載情報を受信する第一ペン記載情報受信部と、第二の媒体に対して、電子ペンで記載した情報を特定する情報である第二記載情報を有する第二ペン記載情報を受信する第二ペン記載情報受信部と、第一記載情報に基づいて、第一の媒体の利用者を決定する利用者決定部と、利用者決定部が決定した利用者に関する情報と対応付けて、第二ペン記載情報または第二ペン記載情報に基づく情報を蓄積する第二ペン記載情報蓄積部を具備する情報処理装置であり、かかる情報処理装置、および第一の媒体、第二の媒体、電子ペン、情報処理装置を有する情報処理システムにより、電子ペンの利用者を特定するための媒体（第一の媒体）と、必要な情報を記載する媒体（第二の媒体）が分離して扱うことができる。また、第一の媒体、第二の媒体が、例えば、アノト社の位置情報（ドットの情報）を持たせた特殊な媒体である場合に、多人数の認証のために、同一の位置情報を有する第一の媒体を利用することにより、効率的に位置情報を利用できる。
【００１０】
また、第二の発明は、第一の発明に対して、利用者に関する情報は、テストの解答の情報である解答情報であり、第二ペン記載情報または第二ペン記載情報に基づく情報は、テストの採点に関する情報を構成する情報である採点構成情報であり、テストの正解を示す情報である正解情報と解答情報を有する正解解答情報を１以上格納している正解解答情報格納部と、正解解答情報と採点構成情報に基づいて、採点者の採点の精度に関する採点精度情報を取得する採点精度情報取得部と、採点精度情報を出力する採点精度情報出力部をさらに具備することにより、テストや添削などの採点者に能力を自動的に測ることができる。
【００１１】
さらに、第一の媒体は、裏面に貼付用の接着剤を含む媒体であり、第一の媒体を第二の媒体に貼付して利用することにより、電子ペンの利用者の情報と、利用者が記載した情報が、第二の媒体を見るだけで分かり、かつ、情報処理装置も、第一の媒体に記載された情報と、第二の媒体に記載された情報を関連付けることができる。
【００１２】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【００１３】
（実施の形態１）
【００１４】
図１は、本実施の形態における情報処理システムの概念図である。情報処理システムは、第一の用紙１１、第二の用紙１２、電子ペン１３、情報処理装置１４を具備する。第一の用紙１１および二の用紙１２は、特殊ドットパターンが印刷されている紙である。但し、紙の材質は問わない。また、例えば、第一の用紙１１は裏面に貼付用の接着剤を含む用紙（シール）であり、第二の用紙１２の上に貼付され得る。
【００１５】
図２は、本実施の形態における情報処理システムのブロック図である。電子ペン１３は、ペン識別子格納部１３０１、座標情報取得部１３０２、ペン記載情報構成部１３０３、ペン記載情報送信部１３０４を有する。情報処理装置１４は、第一ペン記載情報受信部１４０１、第二ペン記載情報受信部１４０２、利用者決定部１４０３、第二ペン記載情報蓄積部１４０４、情報出力指示受付部１４０５、情報出力部１４０６を具備する。
【００１６】
ペン識別子格納部１３０１は、電子ペンを識別する情報であるペン識別子を格納している。ペン識別子のデータ構造や内容は問わない。ペン識別子格納部１３０１は、不揮発性の記録媒体が好適であるが、揮発性の記録媒体でも実現可能である。
【００１７】
座標情報取得部１３０２は、第一の用紙１１または第二の用紙１２の中の座標の情報である座標情報を取得する。座標情報取得部１３０２が座標情報を取得する方法として、例えば、以下の方法がある。第一の用紙１１または第二の用紙１２に図３に示す特殊ドットパターンが印刷されている場合に、座標情報取得部１３０２は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、座標情報取得部１３０２の別の手段として、以下のものが考えられる。第一の用紙１１または第二の用紙１２の表面に、座標情報を示すバーコードが印刷されており、座標情報取得部１３０２は、当該バーコードを読み込み、座標情報を得るバーコードリーダーで実現される。
【００１８】
ペン記載情報構成部１３０３は、ペン識別子格納部１３０１のペン識別子と、座標情報取得部１３０２が取得した１以上の座標情報を有するペン記載情報を構成する。ペン記載情報のデータ構造は問わない。ペン記載情報構成部１３０３は、通常、ＭＰＵやメモリ等から実現され得る。ペン記載情報構成部１３０３が記載情報を構成するための処理手順は、通常、ソフトウェアで実現され、当該ソフトウェアはＲＯＭ等の記録媒体に記録されている。但し、ハードウェア（専用回路）で実現しても良い。
【００１９】
ペン記載情報送信部１３０４は、ペン記載情報構成部１３０３が構成したペン記載情報を情報処理装置１４に送信する。ペン記載情報送信部１３０４は、無線または有線の通信手段で実現され得る。特に、無線通信手段で実現するのが好適である。但し、放送手段により実現しても良い。
【００２０】
第一ペン記載情報受信部１４０１は、電子ペン１３から第一ペン記載情報を受信する。第一ペン記載情報受信部１４０１は、電子ペン１３から、間接的に第一ペン記載情報を受信しても良い。間接的に第一ペン記載情報を受信するとは、電子ペン１３と情報処理装置１４の間に、第一ペン記載情報を転送する通信装置等が存在する場合等である。なお、第一ペン記載情報が有する第一記載情報は、第一の用紙に対して、電子ペン１３で記載した情報を特定する情報である。第一ペン記載情報受信部１４０１は、無線または有線の通信手段で実現され得る。特に、無線通信手段で実現するのが好適である。但し、放送を受信する手段により実現しても良い。
【００２１】
第二ペン記載情報受信部１４０２は、電子ペン１３から第二ペン記載情報を受信する。第二ペン記載情報受信部１４０２は、電子ペン１３から、間接的に第二ペン記載情報を受信しても良い。間接的に第二ペン記載情報を受信するとは、電子ペン１３と情報処理装置１４の間に、第二ペン記載情報を転送する通信装置等が存在する場合等である。なお、第二ペン記載情報が有する第二記載情報は、第二の用紙に対して、電子ペン１３で記載した情報を特定する情報である。第二ペン記載情報受信部１４０２は、無線または有線の通信手段で実現され得る。特に、無線通信手段で実現するのが好適である。但し、放送を受信する手段により実現しても良い。なお、第一ペン記載情報受信部１４０１と第二ペン記載情報受信部１４０２は、通常、一の物理的媒体およびソフトウェア等で実現される。
【００２２】
利用者決定部１４０３は、第一ペン記載情報受信部１４０１が受信した第一記載情報に基づいて、第一の用紙の利用者を決定する。利用者決定部１４０３の処理は種々考えられる。例えば、第一記載情報が複数の座標情報であり、当該座標情報から第一の用紙に記載された数字列を認識（取得）する。次に、数字列をキーにして利用者の氏名を検索する。かかる場合、数字列と氏名を有するレコードを１以上保持するテーブル（利用者管理テーブル）を予め保持している。利用者決定部１４０３は、通常、ＭＰＵやメモリ等から実現され得る。利用者決定部１４０３が利用者を決定するための処理手順は、通常、ソフトウェアで実現され、当該ソフトウェアはＲＯＭ等の記録媒体に記録されている。但し、ハードウェア（専用回路）で実現しても良い。
【００２３】
第二ペン記載情報蓄積部１４０４は、利用者決定部１４０３が決定した利用者に関する情報と対応付けて、第二ペン記載情報受信部１４０２が受信した第二ペン記載情報または当該第二ペン記載情報に基づく情報を蓄積する。なお、「第二ペン記載情報に基づく情報」とは、例えば、第二ペン記載情報が有する１以上の座標情報を認識して、文字コード等に変換した場合の文字コード等である。第二ペン記載情報蓄積部１４０４が、情報を蓄積する記録媒体は、情報処理装置に内蔵されている記録媒体でも、外付けの記録媒体でも良い。また、記録媒体は、不揮発性の記録媒体でも、揮発性の記録媒体でも良い。第二ペン記載情報蓄積部１４０４は、通常、ＭＰＵやメモリ等から実現され得る。第二ペン記載情報蓄積部１４０４が情報を蓄積するための処理手順は、通常、ソフトウェアで実現され、当該ソフトウェアはＲＯＭ等の記録媒体に記録されている。但し、ハードウェア（専用回路）で実現しても良い。
【００２４】
情報出力指示受付部１４０５は、第二ペン記載情報蓄積部１４０４により蓄積された情報を出力する指示を受け付ける。この指示の入力手段は、キーボードやマウスやメニュー画面によるもの等、何でも良い。情報出力指示受付部１４０５は、キーボード等の入力手段のデバイスドライバーや、メニュー画面の制御ソフトウェア等で実現され得る。
【００２５】
情報出力部１４０６は、情報出力指示受付部１４０５が受け付けた指示に従って、第二ペン記載情報蓄積部１４０４により蓄積された情報を出力する。出力とは、ディスプレイの表示、プリンタへの印字、音出力、外部の装置への送信等を含む概念である。情報出力部１４０６は、ディスプレイやスピーカー等の出力デバイスを含むと考えても含まないと考えても良い。情報出力部１４０６は、出力デバイスのドライバーソフトまたは、出力デバイスのドライバーソフトと出力デバイス等で実現され得る。
【００２６】
以下、本情報処理システムの動作について説明する。まず、電子ペン１３の動作について図４のフローチャートを用いて説明する。
【００２７】
（ステップＳ４０１）ペン記載情報構成部１３０３は、ペン識別子格納部１３０１のペン識別子を取得する。
【００２８】
（ステップＳ４０２）座標情報取得部１３０２は、映像を取得したか否かを判断する。映像とは、例えば、図１の電子ペン１３のカメラで取得した映像である。映像を取得すればステップＳ４０３に行き、映像を取得しなければステップＳ４０２に戻る。
【００２９】
（ステップＳ４０３）座標情報取得部１３０２は、ステップＳ４０２で取得した映像および／または先に取得した映像から座標情報を構成する。
【００３０】
（ステップＳ４０４）ペン記載情報構成部１３０３は、ステップＳ４０３で構成した座標情報を一時的に記録する。
【００３１】
（ステップＳ４０５）ペン記載情報送信部１３０４は、ペン記載情報を送信すべきか否かを判断する。かかる判断は、どのような条件により行っても良い。例えば、ペン記載情報送信部１３０４は、メモリ上の座標情報が一杯になったことを検知して、ペン記載情報を送信すべきと判断しても良い。また、ペン記載情報送信部１３０４は、一定時間間隔で、ペン記載情報を送信すべきであると判断しても良い。また、ペン記載情報送信部１３０４は、ユーザの指示（特定のボタンの押下など）を受け付けた場合に、ペン記載情報を送信すべきであると判断しても良い。ペン記載情報送信部１３０４がペン記載情報を送信すべきと判断した場合はステップＳ４０６に行き、送信すべきでないと判断した場合はステップＳ４０２に戻る。
【００３２】
（ステップＳ４０６）ペン記載情報構成部１３０３は、ステップＳ４０１で取得したペン識別子と、記録されている１以上の座標情報からペン記載情報を構成する。
【００３３】
（ステップＳ４０７）ペン記載情報送信部１３０４は、ステップＳ４０６で構成したペン情報を情報処理装置１４に送信する。なお、ペン記載情報送信部１３０４は、例えば、情報処理装置１４のＩＰアドレス等を保持している。ステップＳ４０２に戻る。
【００３４】
なお、図４のフローチャートにおいて、電源オフや処理の終了等の割り込みにより、処理を終了する。
【００３５】
また、図４のフローチャートにおいて、電子ペン１３で記載する情報は文字でも図形等でも良い。また、カメラで取得した映像から座標情報を構成する処理は、例えば、上述したアノト社の特殊な紙（専用紙）を用いれば可能であり公知技術であるので、詳細な説明は省略する。
【００３６】
さらに、図４のフローチャートにおいて、電子ペン１３は、座標情報を有するペン記載情報を情報処理装置１４に送信した。かかる場合、情報処理装置１４は、座標情報から文字や図形を認識する。しかし、電子ペン１３が座標情報から文字や図形を認識し、当該認識後の文字データ等を情報処理装置１４に送信しても良い。なお、複数の座標情報から文字コードを決定する処理は、文字認識の既存技術であるので、詳細な説明は省略する。
【００３７】
次に、情報処理装置１４の動作について図５のフローチャートを用いて説明する。
【００３８】
（ステップＳ５０１）第一ペン記載情報受信部１４０１または第二ペン記載情報受信部１４０２が情報を受信したか否かを判断する。情報を受信すればステップＳ５０２に行き、情報を受信しなければステップＳ５０８に飛ぶ。
【００３９】
（ステップＳ５０２）ステップＳ５０１で受信した情報が第一ペン記載情報であるか否かを判断する。受信した情報が第一ペン記載情報であればステップＳ５０３に行き、受信した情報が第一ペン記載情報でなければステップＳ５０５に飛ぶ。なお、受信した情報が第一ペン記載情報であるか否かは、通常、情報が有する座標情報から判断できる。
【００４０】
（ステップＳ５０３）利用者決定部１４０３は、受信した第一ペン記載情報に基づいて利用者を決定する。利用者決定部１４０３は、例えば、以下のような処理により利用者を決定する。利用者決定部１４０３は、第一ペン記載情報が有する１以上の座標情報を取得する。利用者決定部１４０３は、１以上の座標情報を文字認識技術により文字コードに変換する。この文字コードが利用者を識別する情報である利用者識別子である。その他、利用者決定部１４０３が利用者を決定するアルゴリズムは問わない。
【００４１】
（ステップＳ５０４）利用者決定部１４０３は、ステップＳ５０３で決定した利用者に関する情報（利用者識別子）を一時格納する。ステップＳ５０１に戻る。
【００４２】
（ステップＳ５０５）ステップＳ５０１で受信した情報が第二ペン記載情報であるか否かを判断する。受信した情報が第二ペン記載情報であればステップＳ５０６に行き、受信した情報が第二ペン記載情報でなければステップＳ５０１に戻る。なお、受信した情報が第二ペン記載情報であるか否かは、通常、情報が有する座標情報から判断できる。
【００４３】
（ステップＳ５０６）第二ペン記載情報蓄積部１４０４は、第二ペン記載情報から蓄積する情報を構成する。第二ペン記載情報蓄積部１４０４の情報構成アルゴリズムは種々ある。第二ペン記載情報蓄積部１４０４は、例えば、以下のような処理により蓄積する情報を構成する。第二ペン記載情報蓄積部１４０４は、第二ペン記載情報が有する１以上の座標情報を取得する。第二ペン記載情報蓄積部１４０４は、１以上の座標情報を文字認識技術により文字コード列に変換する。この文字コード列が蓄積する情報である。
【００４４】
（ステップＳ５０７）第二ペン記載情報蓄積部１４０４は、ステップＳ５０４で一時格納した利用者識別子に対応する記録媒体の箇所に、ステップＳ５０６で構成した情報を蓄積する。ステップＳ５０１に戻る。
【００４５】
（ステップＳ５０８）情報出力指示受付部１４０５は、情報の出力指示を受け付けたか否かを判断する。情報の出力指示は、例えば、利用者識別子を含む。情報の出力指示を受け付ければステップＳ５０９に行き、情報の出力指示を受け付けなければステップＳ５０１に戻る。
【００４６】
（ステップＳ５０９）情報出力部１４０６は、ステップＳ５０８で受け付けた出力指示に基づいて出力する情報を検索する。情報出力部１４０６は、例えば、出力指示が有する利用者識別子をキーとして、蓄積されている情報を検索する。
【００４７】
（ステップＳ５１０）情報出力部１４０６は、ステップＳ５０９で検索した情報を出力する。ステップＳ５０１に戻る。なお、情報出力部１４０６における情報の出力態様は問わない。
【００４８】
なお、図５のフローチャートにおいて、電源オフや処理の終了等の割り込みにより、処理を終了する。
【００４９】
以下、本実施の形態における情報処理システムの具体的な動作について説明する。情報処理システムの概念図は図１である。本情報処理システムにおいて、添削やテスト問題に対する解答を記入し、当該解答の情報等を管理し、また、処理する。
【００５０】
図６は、第一の用紙１１が複数（ここでは、１０枚）貼付されている台紙を示す図である。第一の用紙１１は、裏面に貼付用の接着剤を含む用紙（いわゆる、シール）であり、台紙に貼り付いている。本具体例において、第一の用紙１１が複数枚貼付された台紙（図６の台紙）が、電子ペンを用いて添削問題に解答を記入する受講生に、例えば、郵送されている、とする。
【００５１】
次に、図７は、受講生に、別途、郵送された第二の用紙１２である。第二の用紙１２は、いわゆる添削問題が記載されている用紙である。
【００５２】
以下、第一の用紙１１と第二の用紙１２が、受講生の机の上に存在する状況で、受講生が添削問題に取り組む場合の処理等について説明する。
【００５３】
まず、受講生は、台紙に貼付されている一の第一の用紙１１をはがし、第二の用紙１２の上に貼り付ける。図８は、第二の用紙１２の上に第一の用紙１１を貼り付けた状態を示す。
【００５４】
次に、受講生は、第一の用紙１１上に、電子ペン１３を用いて、受講番号を記載する。かかる受講番号を記載した用紙の例を図９に示す。ここでは、この受講生の受講番号は「１２３４５」である。
【００５５】
次に、電子ペン１３は、受講生が受講番号を記載している間、第一の用紙１１の映像情報を取得して、当該映像情報を座標情報に変換する処理を続ける。そして、電子ペン１３は、変換した１以上の座標情報を一時格納する。そして、例えば、電子ペン１３は、一定数の座標情報を格納した場合に、電子ペン識別子（以下、適宜「ペン識別子」とも言う。）ともに、一定数の座標情報を座標情報からペン記載情報を構成し、情報処理装置１４に送信する。図１０に、電子ペン１３が情報処理装置１４に送信したペン記載情報の例を示す。このペン記載情報は、ペン識別子「ａｂｃｄ」とｎ個の座標情報を有する。
【００５６】
次に、情報処理装置１４は、ペン記載情報を受信する。そして、情報処理装置１４は、ペン記載情報が有する１以上の座標情報から以下のように利用者を決定する。情報処理装置１４は、図１１に示す用紙管理表を保持している。用紙管理表は、受信したペン記載情報が有する座標情報から用紙を決定するための表である。
【００５７】
本用紙管理表は、座標情報（Ｘ，Ｙ）のＸの範囲が「２５０から４００」、Ｙの範囲が「１から３０」の用紙は第一の用紙であり、Ｘの範囲が「２８０００から２８８００」、Ｙの範囲が「５２０から１８００」の用紙は第二の用紙であることを管理している。
【００５８】
そして、情報処理装置１４は、図１０のペン記載情報が有する座標情報から、図１０の記載情報は、第一の用紙に記載された情報を示す記載情報（第一ペン記載情報）であることを判断する。そして、情報処理装置１４は、図１０の座標情報を認識して、文字コード「１２３４５」を得る。複数の座標情報から文字認識して文字コードを得る技術は既存技術であるので、詳細な説明は省略する。
【００５９】
次に、情報処理装置１４は、ペン識別子「ａｂｃｄ」と文字コード「１２３４５」を対に一時格納する。なお、文字コード「１２３４５」は受講生番号、つまり、利用者識別子である。情報処理装置１４が一時格納するデータのデータ構造を図１２に示す。
【００６０】
次に、受講生は、添削問題を開始する。そして、問題に対する解答を、電子ペン１３を用いて第二の用紙に記載する。受講生が第二の用紙に解答を記載している間、電子ペン１３は座標情報を蓄積する。電子ペン１３の座標情報蓄積処理は、上述したとおりである。
【００６１】
そして、すべての解答が終わった時点で、例えば、受講生の指示により、電子ペン１３は、ペン記載情報を構成し、情報処理装置１４に送信する。受講生の指示とは、例えば、電子ペン１３の特定のボタンを押下することである。電子ペン１３が情報処理装置１４に送信したペン記載情報（第二ペン記載情報）の例を図１３に示す。
【００６２】
次に、情報処理装置１４は、図１３のペン記載情報を受信する。次に、情報処理装置１４は、図１３のペン記載情報が有する座標情報から、本ペン記載情報が記載されたのは、第二の用紙であると判断する。つまり、情報処理装置１４は、図１３のペン記載情報が第二ペン記載情報であると判断する。情報処理装置１４は、かかる判断において、上述したように、図１１の用紙管理表を参照する。
【００６３】
次に、情報処理装置１４は、図１３のペン記載情報が有するｍ個の座標情報を文字認識処理し、文字コードに変換する。そして、情報処理装置１４は、図１４に示す、受講生の解答の情報を得る。次に、情報処理装置１４は、当該受講生の解答（第二ペン記載情報に基づく情報）を利用者識別子（利用者に関する情報）と対応付けて、蓄積する。
【００６４】
図１５は、情報処理装置１４が蓄積した情報の例である。図１５は、受講生の解答管理表である。解答管理表は、「ＩＤ」「受講生番号」「解答」を有するレコードを１以上格納している。「ＩＤ」は、レコードを識別する情報であり、表管理上の要請のために存在する。「受講生番号」は、受講生を識別する情報である。「解答」は、「受講生番号」で識別される受講生が記載し、電子ペン１３から送信された解答の情報である。
【００６５】
以上のような処理により、１以上の電子ペンから情報が情報処理装置１４に送信され、必要な情報が蓄積される。
【００６６】
また、情報処理装置１４が、例えば、受講生番号「１２３４５」を含む情報出力指示を受け付けると、受講生番号「１２３４５」をキーとして「解答」を検索し、出力しても良い。
【００６７】
また、情報処理装置１４が、図１６に示す正解情報（添削問題の正解の情報）を保持している、とする。かかる場合、情報処理装置１４が、例えば、受講生番号「１２３４５」を含む情報出力指示を受け付けると、受講生番号「１２３４５」をキーとして「解答」を検索し、当該解答と、図１６の正解情報を比較して、図１７に示すような受講生番号「１２３４５」の得点を出力しても良い。
【００６８】
以上、本実施の形態によれば、電子ペンを用いた教育用の情報処理システムを用いて、効率的な通信教育の運用を図ることができる。具体的には、小さな第一の用紙を受講生に多数配布しておいて、問題用紙である第二の用紙も別途配布する。そして、第一の用紙に受講生番号を記載させ、また、第二の用紙に解答を記載されることにより、受講生を特定するための用紙と、解答のための用紙が分離できる。用紙を分離することにより、情報処理装置が受信した情報が、どの用紙に記載された情報であるかを容易に判断できる。
【００６９】
なお、本実施の形態によれば、第一の用紙がシールであり、第二の用紙に貼付されたが、第一の用紙と第二の用紙が接合されずに、分離された状態で利用されるものであっても良い。かかることは、他の実施の形態においても同様である。
【００７０】
また、本実施の形態によれば、情報処理装置は、電子ペンから受信した座標情報に基づいて文字コードなどを取得したが、電子ペンが文字認識処理を行い、電子ペンが文字コードなどを情報処理装置に送信しても良い。かかることは、他の実施の形態においても同様である。
【００７１】
また、本実施の形態によれば、第一ペン記載情報および第二ペン記載情報は電子ペン識別子を有したが、電子ペン識別子を有しなくても良い。かかることも、他の実施の形態においても同様である。
【００７２】
また、本実施の形態によれば、第二ペン記載情報蓄積部は、電子ペン識別子を蓄積しなかったが、電子ペン識別子も蓄積しても良い。かかる場合、蓄積した情報は、電子ペン識別子に基づいて、後に取得、利用（表示や加工など）できる。かかることも、他の実施の形態においても同様である。
【００７３】
また、本実施の形態によれば、利用者に関する情報は利用者識別子であったが、利用者に関する情報は利用者識別子と対応づけられた他の情報でも良い。かかることも、他の実施の形態においても同様である。
【００７４】
また、本実施の形態によれば、情報処理装置は、ユーザの指示により蓄積した情報を出力した。つまり、情報処理装置は、情報出力指示受付部と情報出力部を具備したが、かかる構成要素は必ずしも必要ではない。つまり、情報処理装置は、蓄積した情報を、情報処理装置から着脱可能な記録媒体（光ディスクや磁気ディスクなど）に記録して、他の情報処理装置で当該情報の処理（出力や統計処理など）を行っても良い。かかることも、他の実施の形態においても同様である。また、本実施の形態によれば、第一の用紙１１と第二の用紙１２の材質は紙であるが、紙以外の他の材質でも良い。つまり、第一の用紙１１は第一の媒体、第二の用紙１２は第二の媒体と置き換えても良い。第一の媒体および第二の媒体は、プラスチックなどの材質でも良い。例えば、第一の媒体および第二の媒体は、プラスチックでできており、上述したアノト社の特殊な紙のように、位置情報を取得できるドットが印刷されている。かかることも、他の実施の形態においても同様である。
【００７５】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、第一の用紙に対して、電子ペンで記載した情報を特定する情報である第一記載情報を有する第一ペン記載情報を受信する第一ペン記載情報受信ステップと、第二の用紙に対して、電子ペンで記載した情報を特定する情報である第二記載情報を有する第二ペン記載情報を受信する第二ペン記載情報受信ステップと、第一記載情報に基づいて、第一の用紙の利用者を決定する利用者決定ステップと、利用者決定部が決定した利用者に関する情報と対応付けて、第二ペン記載情報または第二ペン記載情報に基づく情報を蓄積する第二ペン記載情報蓄積ステップを実行させるためのプログラムである。
【００７６】
（実施の形態２）
【００７７】
図１８は、本実施の形態における情報処理システムのブロック図である。本情報処理システムは、電子ペン１３、情報処理装置１８４を具備する。電子ペン１３が情報を記載する用紙は、第一の用紙１８１および第二の用紙１８２である。第一の用紙１８１および第二の用紙１８２は、特殊ドットパターンが印刷されている紙である。但し、紙の材質は問わない。また、第一の用紙１８１、第二の用紙１８２は、ここでは、裏面に貼付用の接着剤を含む用紙でない、とする。
【００７８】
情報処理装置１８４は、第一ペン記載情報受信部１４０１、第二ペン記載情報受信部１４０２、利用者決定部１４０３、第二ペン記載情報蓄積部１４０４、正解解答情報格納部１８４０１、情報出力指示受付部１８４０２、採点精度情報取得部１８４０３、採点精度情報出力部１８４０４を具備する。
【００７９】
正解解答情報格納部１８４０１は、テストの正解を示す情報である正解情報と解答情報を有する正解解答情報を１以上格納している。正解解答情報のデータ構造は問わない。正解解答情報格納部１８４０１は、不揮発性の記録媒体が好適であるが、揮発性の記録媒体でも実現可能である。
【００８０】
情報出力指示受付部１８４０２は、採点者の採点の精度に関する採点精度情報を取得する指示を受け付ける。この指示の入力手段は、キーボードやマウスやメニュー画面によるもの等、何でも良い。情報出力指示受付部１８４０２は、キーボード等の入力手段のデバイスドライバーや、メニュー画面の制御ソフトウェア等で実現され得る。
【００８１】
採点精度情報取得部１８４０３は、情報出力指示受付部１８４０２が指示を受け付けた場合に、正解解答情報と第二ペン記載情報に基づいて、採点者の採点の精度に関する採点精度情報を取得する。この第二ペン記載情報は、テストの採点に関する情報を構成する情報である採点構成情報である。つまり、本実施の形態において、電子ペン１３は、テストや添削等の採点者が利用する。採点精度情報取得部１８４０２は、通常、ＭＰＵやメモリ等から実現され得る。採点精度情報取得部１８４０２が採点精度情報を取得するための処理手順は、通常、ソフトウェアで実現され、当該ソフトウェアはＲＯＭ等の記録媒体に記録されている。但し、ハードウェア（専用回路）で実現しても良い。
【００８２】
採点精度情報出力部１８４０４は、採点精度情報取得部１８４０３が取得した採点精度情報を出力する。出力とは、ディスプレイの表示、プリンタへの印字、音出力、外部の装置への送信等を含む概念である。採点精度情報出力部１８４０４は、ディスプレイやスピーカー等の出力デバイスを含むと考えても含まないと考えても良い。採点精度情報出力部１８４０４は、出力デバイスのドライバーソフトまたは、出力デバイスのドライバーソフトと出力デバイス等で実現され得る。
【００８３】
なお、利用者に関する情報は、テストの解答の情報である解答情報である。
【００８４】
次に、情報処理装置１８４の動作について図１９のフローチャートを用いて説明する。
【００８５】
（ステップＳ１９０１）第一ペン記載情報受信部１４０１または第二ペン記載情報受信部１４０２が情報を受信したか否かを判断する。情報を受信すればステップＳ１９０２に行き、情報を受信しなければステップＳ１９０８に飛ぶ。
【００８６】
（ステップＳ１９０２）ステップＳ１９０１で受信した情報が第一ペン記載情報であるか否かを判断する。受信した情報が第一ペン記載情報であればステップＳ１９０３に行き、受信した情報が第一ペン記載情報でなければステップＳ１９０５に飛ぶ。
【００８７】
（ステップＳ１９０３）利用者決定部１４０３は、受信した第一ペン記載情報に基づいて利用者を決定する。
【００８８】
（ステップＳ１９０４）利用者決定部１４０３は、ステップＳ１９０３で決定した利用者を識別する利用者識別子を一時格納する。ステップＳ１９０１に戻る。
【００８９】
（ステップＳ１９０５）ステップＳ１９０１で受信した情報が第二ペン記載情報であるか否かを判断する。受信した情報が第二ペン記載情報であればステップＳ１９０６に行き、受信した情報が第二ペン記載情報でなければステップＳ１９０１に戻る。
【００９０】
（ステップＳ１９０６）第二ペン記載情報蓄積部１４０４は、第二ペン記載情報から蓄積する情報（採点構成情報）を構成する。第二ペン記載情報蓄積部１４０４の情報構成アルゴリズムは種々ある。
【００９１】
（ステップＳ１９０７）第二ペン記載情報蓄積部１４０４は、ステップＳ１９０４で一時格納した利用者識別子に対応する記録媒体の箇所に、ステップＳ１９０６で構成した採点構成情報を蓄積する。ステップＳ１９０１に戻る。
【００９２】
（ステップＳ１９０８）情報出力指示受付部１８４０２は、採点精度情報の出力指示を受け付けたか否かを判断する。採点精度情報の出力指示は、例えば、利用者識別子を含む。採点精度情報の出力指示を受け付ければステップＳ１９０９に行き、採点精度情報の出力指示を受け付けなければステップＳ１９０１に戻る。
【００９３】
（ステップＳ１９０９）採点精度情報取得部１８４０３は、出力指示が有する利用者識別子に対応する採点構成情報を読み出す。なお、採点構成情報は、ステップＳ１９０７で蓄積した情報である。
【００９４】
（ステップＳ１９１０）採点精度情報取得部１８４０３は、対応する正解解答情報を正解解答情報格納部１８４０１から読み出す。
【００９５】
（ステップＳ１９１１）採点精度情報取得部１８４０３は、ステップＳ１９０９で読み出した採点構成情報とステップＳ１９１０で読み出した正解解答情報から採点者の採点の精度に関する採点精度情報を取得する。なお、採点精度情報を取得の具体的なアルゴリズムの例は、下記で詳細に述べる。
【００９６】
（ステップＳ１９１２）採点精度情報出力部１８４０４は、ステップＳ１９１１で取得した採点精度情報を出力する。
【００９７】
なお、図５のフローチャートにおいて、電源オフや処理の終了等の割り込みにより、処理を終了する。
【００９８】
以下、本実施の形態における情報処理システムの具体的な動作について説明する。情報処理システムの概念図は図１である。本具体例において、添削者や採点者など（以下、採点者という。）が添削やテスト問題に対して採点を行う際に、電子ペン１３を用いて記入する「○」や「×」や「正解の情報」や「コメント」などが、電子ペン１３から情報処理装置１８４に送信され、処理される場合について説明する。
【００９９】
今、受講生番号「１２３４５」で識別される添削の受講生が、通信教育で、漢字テストを行った、とする。この漢字テストの解答用紙の例を図２０に示す。図２０における漢字テストの解答用紙には、添削の受講生が貼付した用紙２０１（実施の形態１における第一の用紙）が第二の用紙１２に貼付されている。そして、この用紙２０１が貼付された第二の用紙１１が採点者に渡っている、とする。
【０１００】
次に、情報処理装置１８４は、図２１に示す正解解答情報を保持している。正解解答情報は、１０問の漢字テストの解答情報と正解情報を有する。正解情報は、予め情報処理装置１８４に入力された情報である。また、解答情報は、予め情報処理装置１８４に入力されたか、または電子ペン１３により記載され、情報処理装置１８４に送信され蓄積された情報である。なお、情報処理装置１８４が正解解答情報を保持するまでの方法は問わない。
【０１０１】
次に、添削者は、添削者用の入力シート（第一の用紙１１）を保持している。この第一の用紙１１は、ここでは、第二の用紙に貼付するものではなく、第二の用紙とは分離している。第一の用紙１２の例を図２２に示す。
【０１０２】
そして、添削者は、電子ペン１３を用いて、第一の用紙１１に添削者を識別する情報「ｖｗｘｙ」を記載する、とする。次に、電子ペン１３は、電子ペン識別子と、添削者を識別する情報「ｖｗｘｙ」を構成する座標情報群から第一ペン記載情報を構成する。第一ペン記載情報の構造例は、図１０と同じである。
【０１０３】
次に、情報処理装置１８４は、図１０と同様の構造を有する第一ペン記載情報を電子ペンから受信し、１以上の座標情報を取得する。そして、情報処理装置１８４は、１以上の座標情報を認識し、文字コード「ｖｗｘｙ」を構成する。そして、情報処理装置１８４は、利用者識別子「ｖｗｘｙ」を一時蓄積する。なお、電子ペン識別子も利用者識別子「ｖｗｘｙ」に対応付けて蓄積しても良い。
【０１０４】
次に、採点者は、図２３に示すように、電子ペン１３を用いて、第二の用紙１２に採点の情報を記入する。次に、電子ペン１３は、電子ペン識別子と採点者が記入した情報を特定する１以上の座標情報を有する第二ペン記載情報を、情報処理装置１８４に送信する。なお、第二ペン記載情報の構造例は、図１３と同様である。
【０１０５】
次に、情報処理装置１８４は、第二ペン記載情報を受信する、次に、情報処理装置１８４は、第二ペン記載情報の座標情報を取得し、認識処理を行う。情報処理装置１８４は、認識処理の結果、図２４に示すような採点構成情報を得る。そして、情報処理装置１８４は、採点構成情報を蓄積する。なお、採点構成情報は、採点者を識別する情報「ｖｗｘｙ」と対で蓄積される。
【０１０６】
次に、情報処理装置１８４は、採点精度情報の出力の指示を受け付けた、とする。この出力指示は、例えば、採点者を識別する情報「ｖｗｘｙ」を含む、とする。次に、情報処理装置１８４は、「ｖｗｘｙ」と対に蓄積されている採点構成情報（図２４参照）を読み出す。次に、情報処理装置１８４は、「ｖｗｘｙ」で識別される採点者が採点した受講生の解答情報と正解情報を有する正解解答情報（図２１参照）を読み出す。
【０１０７】
次に、情報処理装置１８４は、「ｖｗｘｙ」で識別される採点者の採点が正しいか否かを、問題（解答）の順に判断する（採点精度情報を取得する）。具体的には、情報処理装置１８４は、以下のようにして、採点精度情報を取得する。
【０１０８】
まず、情報処理装置１８４は、図２１の「ＩＤ＝１」の「解答情報」と「正解情報」を取得する。次に、情報処理装置１８４は、「ＩＤ＝１」の「解答情報」と「正解情報」が一致しているか否かを判断する。情報処理装置１８４は、「解答情報」と「正解情報」が一致していればデータ「○」、一致していなければデータ「×」を生成する。次に、情報処理装置１８４は、生成したデータと、図２４の「ＩＤ＝１」の「採点」の情報が一致するか否かを判断する。生成したデータと、図２４の「ＩＤ＝１」の「採点」の情報が一致すれば、情報処理装置１８４は、採点者の採点が正しいと判断し、両データが不一致であれば採点者の採点が誤っていると判断する。以上の処理を情報処理装置１８４は、「ＩＤ＝１０」のデータまで繰り返す。そして、本具体例において、「ＩＤ＝５」（５問目）の採点が誤っており、その他の採点は正しい、と情報処理装置１８４は判断する。そして、情報処理装置１８４は、採点精度情報「９／１０」を算出する。そして、情報処理装置１８４は、採点精度情報「９／１０」を、図２５に示すように出力する。なお、採点精度情報の出力態様は、グラフ等によっても良い。つまり、採点精度情報の出力態様は問わない。
【０１０９】
以上、本実施の形態によれば、電子ペンを用いた教育用の情報処理システムを用いて、効率的な通信教育の運用を図ることができる。具体的には、例えば、添削者が、添削者を識別する情報を第一の用紙に記載し、受講生の解答が記載された第二の用紙に対して採点の情報を添削者が記載し、第一の用紙および第二の用紙に記載された情報を対応付けて蓄積し、採点精度情報の算出などの処理をすることにより、効率的な通信教育の運用を図ることができる。
【０１１０】
なお、本実施の形態によれば、第一の用紙と第二の用紙が分離された状態で利用されるものであっが、第一の用紙がシールであり、第二の用紙に貼付されても良い。
【０１１１】
（実施の形態３）
【０１１２】
本実施の形態において、第一の用紙が別の態様である場合について説明する。本情報処理システムは、第一の用紙２６１、第二の用紙１２、電子ペン１３、情報処理装置１４を具備する。例えば、通信添削の受講生へ、４月初旬（または、３月末）に１年分の数（たとえば、１教科分の１２枚）のシール（用紙）が郵送される、とする。このシール（用紙）が、本情報処理システムの第一の用紙２６１である。また、第二の用紙１２は、毎月の添削問題で、一枚ずつ月初めに受講生に郵送される、とする。
【０１１３】
第一の用紙２６１には、例えば、上述したアノト社のドット（図示しない）が印刷されている。また、本実施の形態において、各受講生に郵送される第一の用紙２６１のドットパターンは、すべて異なる、とする。また、第一の用紙２６１には、図２６に示すように、「氏名」（たとえば、「山田一郎」）が印字され、チェックをする領域であるチェックボックス２６１１が印字されている。なお、第一の用紙２６１には、受講生番号など他の情報が印字されていたり、チェックボックス２６１１のみで、何も印字されていなくても良い。
【０１１４】
かかる場合、添削の受講生は、４月の算数の添削を行う場合に、算数の問題用紙（第二の用紙１２）に、４月分の第一の用紙２６１（シール）を貼る（図２７参照）。そして、受講生は、チェックボックスに、電子ペン１３でチェックをする（図２７参照）。
【０１１５】
次に、電子ペン１３は、上記の実施の形態で説明したように、受講生がチェックした第一の用紙２６１の位置の座標情報群および電子ペン識別子を情報処理装置１４に送信する。
【０１１６】
情報処理装置１４は、位置座標の情報群および電子ペン識別子を有する第一ペン記載情報を受信する。
【０１１７】
また、情報処理装置１４は、図２８に示す受講生管理表を格納している。受講生管理表は、第一ペン記載情報が有する１以上の座標情報から受講生を決定する（利用者を決定する）ための表である。受講生管理表は、「ＩＤ」「受講者名」「Ｘ座標」「Ｙ座標」を有するレコードを１以上格納している。「ＩＤ」は、レコードを識別する情報であり、表管理上の要請のために存在する。「受講者名」は、添削の受講者の氏名である。「Ｘ座標」は、受講者に郵送されている第一の用紙２６１のチェックボックスの領域のドットパターンが示す位置情報のＸ座標の範囲である。「Ｙ座標」は、受講者に郵送されている第一の用紙２６１のチェックボックスの領域のドットパターンが示す位置情報のＹ座標の範囲である。
【０１１８】
今、情報処理装置１４は、図２９に示す第一ペン記載情報を受信した、とする。かかる場合、情報処理装置１４は、図２９に示す第一ペン記載情報が有する１以上の座標情報に基づいて、図２８の受講生管理表を検索し、受講者名「山田一郎」を取得する。つまり、本第一の用紙２６１の利用者を「山田一郎」と決定する。なお、かかる処理は、上述したので、ここでの説明は省略する。そして、情報処理装置１４は、電子ペン識別子「ａｂｃｄ」と受講者名「山田一郎」を対に格納する。
【０１１９】
次に、受講生は、電子ペン１３を用いて、添削問題に対して解答を記入する。そして、電子ペン１３は、電子ペン識別子「ａｂｃｄ」と解答を示す位置情報の情報群を情報処理装置１４に送信する。
【０１２０】
次に、情報処理装置１４は、電子ペン識別子「ａｂｃｄ」と解答を示す座標情報群を電子ペン１３から受信し、解答を示す座標情報群を文字認識し、解答の文字コードに変換する。そして、情報処理装置１４は、受講者名「山田一郎」と、解答の文字コードを対に格納する。
【０１２１】
以上の処理により、情報処理装置１４は、図３０に示すようなデータ構造を有する受講者名「山田一郎」の解答情報を得る。
【０１２２】
その後、情報処理装置１４は、受講者名「山田一郎」の解答情報をディスプレイに出力しても、自動採点しても良い。なお、自動採点の処理等は、実施の形態１で説明したので、ここでの処理の説明は省略する。
【０１２３】
次に、本実施の形態における第二の例について説明する。第二の例は、第一の用紙２６１の代わりに第一の媒体３１１を用いる。第一の媒体３１１は、アノト社の特殊なドットパターンが表面に印刷されているカード（材質な、プラスチックや紙など問わない。）である。このカード（第一の媒体３１１）は、例えば、教育機関の生徒全員に配布されている。また、このカード（第一の媒体３１１）に印刷されているドットパターンは、全員が異なる。また、第二の用紙１２は、質問票であり、カードと同様に、特殊なドットパターンが印刷されている。但し、カードのドットパターンと第二の用紙１２のドットパターンとは、異なる。
【０１２４】
今、生徒「山田一郎」が、自分のカードのチェックボックス３１１１を電子ペン１３でチェックする、とする。そして、生徒「山田一郎」が電子ペン１３でチェックした位置を示す座標情報を有する第一ペン記載情報を、電子ペン１３は情報処理装置１４に送信する。そして、情報処理装置１４は、第一ペン記載情報を受信する。次に、情報処理装置１４は、例えば、図２８の受講生管理表に基づいて、上述したような処理により受講生を決定する。そして、情報処理装置１４は、受講生「山田一郎」を示す情報を一時蓄積する。
【０１２５】
なお、情報処理装置１４は、受信した第一ペン記載情報が有する１以上の座標情報が登録されていない座標情報である場合に、以下の質問を蓄積しない（受け付けない）処理をすることは好ましい。
【０１２６】
次に、生徒「山田一郎」は、質問票に、電子ペン１３で質問を記載する、とする。なお、図３２は、質問票の例であり、生徒「山田一郎」が電子ペン１３で記載した質問が記載されている。
【０１２７】
次に、電子ペン１３は、生徒「山田一郎」が記載した質問を示す情報を特定する座標情報を蓄積する。そして、電子ペン１３は、当該座標情報を有する第二ペン記載情報を情報処理装置１４に送信する。
【０１２８】
次に、情報処理装置１４は、第二ペン記載情報を受信する。そして、情報処理装置１４は、第二ペン記載情報が有する１以上の座標情報を文字認識し、文字コード列（質問情報）に変換する。そして、情報処理装置１４は、直前に記録されている受講生を示す情報と対応付けて、質問情報を蓄積する。情報処理装置１４が蓄積した質問情報を管理する質問情報管理表を図３３に示す。質問情報管理表は、「ＩＤ」「受講生」「質問情報」を有するレコードを１以上保持する。「ＩＤ」は、レコードを識別する情報であり、表管理上の要請のために存在する。「受講生」は、カードのチェックボックスを電子ペン１３でチェックされたことにより、決定された受講生の氏名を示す。また、「質問情報」は、質問票に記載された質問を示す。
【０１２９】
次に、情報処理装置１４は、ユーザ（添削運用会社の社員など）が、指示することにより、質問情報をディスプレイに出力したり、プリンタに印字したりする。なお、情報処理装置１４は、質問情報管理表の情報をどのように利用するかは問わない。
【０１３０】
以上、本実施の形態によれば、添削の利用者等のユーザは、電子ペンでチェックするだけで認証され（利用者が特定され）、添削やテストの運用がスムーズになる。つまり、添削の利用者等に受験番号や氏名を書かせることによる誤りを回避できる。かかる場合、第一の媒体のドットパターンは、利用者ごとに異なることが前提である。
【０１３１】
また、本実施の形態において、情報処理装置は、直前に決定した利用者を、次に受信した情報（例えば、質問情報）を関連付けることにより、一の電子ペン１３を多人数で利用できる。例えば、教育事業会社における受付に一の電子ペンと複数枚の質問票（第二の媒体）を設置し、第一の媒体を保持している多数の生徒が順番に電子ペンで第一の媒体と質問票に情報を記入することにより、少ない設備（一の電子ペン）で、多人数の質問が自動的に取得できる。
【０１３２】
【発明の効果】
本発明によれば、第一の媒体を認証用の媒体として利用し、第二の媒体を情報記載用の媒体として利用する情報処理装置により、例えば、効率的な通信教育の運用を図ることができる。
【図面の簡単な説明】
【図１】実施の形態１における情報処理システムの概念図
【図２】実施の形態１における情報処理システムのブロック図
【図３】実施の形態１における電子ペンの技術を説明する図
【図４】実施の形態１における電子ペンの動作について説明するフローチャート
【図５】実施の形態１における情報処理装置の動作について説明するフローチャート
【図６】実施の形態１における第一の用紙１１が貼付されている台紙を示す図
【図７】実施の形態１における第二の用紙の例を示す図
【図８】実施の形態１における第二の用紙の上に第一の用紙を貼り付けた状態を示す図
【図９】実施の形態１における用紙の例を示す図
【図１０】実施の形態１におけるペン記載情報の例を示す図
【図１１】実施の形態１における用紙管理表を示す図
【図１２】実施の形態１における情報処理装置が一時格納するデータの構造を示す図
【図１３】実施の形態１における第二ペン記載情報の例を示す図
【図１４】実施の形態１における受講生の解答の情報を示す図
【図１５】実施の形態１における情報処理装置が蓄積した情報の例を示す図
【図１６】実施の形態１における正解情報の例を示す図
【図１７】実施の形態１における情報処理装置の出力例を示す図
【図１８】実施の形態２における情報処理システムのブロック図
【図１９】実施の形態２における情報処理装置の動作について説明するフローチャート
【図２０】実施の形態２における漢字テストの解答用紙の例を示す図
【図２１】実施の形態２における正解解答情報を示す図
【図２２】実施の形態２における第一の用紙の例を示す図
【図２３】実施の形態２における採点者の採点結果を示す図
【図２４】実施の形態２における採点構成情報を示す図
【図２５】実施の形態２における情報処理装置の出力例を示す図
【図２６】実施の形態３における第一の用紙を示す図
【図２７】実施の形態３における第一の用紙を貼付した第二の用紙を示す図
【図２８】実施の形態３における受講生管理表を示す図
【図２９】実施の形態３における第一ペン記載情報を示す図
【図３０】実施の形態３における解答情報の例を示す図
【図３１】実施の形態３における第一の媒体の例を示す図
【図３２】実施の形態３における質問票の例を示す図
【図３３】実施の形態３における質問情報管理表を示す図
【符号の説明】
１１、２６１  第一の用紙
１２  第二の用紙
１３  電子ペン
１４、１８４  情報処理装置
３１１  第一の媒体
１３０１  ペン識別子格納部
１３０２  座標情報取得部
１３０３  ペン記載情報構成部
１３０４  ペン記載情報送信部
１４０１  第一ペン記載情報受信部
１４０２  第二ペン記載情報受信部
１４０３  利用者決定部
１４０４  第二ペン記載情報蓄積部
１４０５  情報出力指示受付部
１４０６  情報出力部
２６１１、３１１１  チェックボックス
１８４０１  正解解答情報格納部
１８４０２  情報出力指示受付部
１８４０３  採点精度情報取得部
１８４０４  採点精度情報出力部
【図１】
2004362023.tif 000003
【図２】
2004362023.tif 000004
【図３】
2004362023.tif 000005
【図４】
2004362023.tif 000006
【図５】
2004362023.tif 000007
【図６】
2004362023.tif 000008
【図７】
2004362023.tif 000009
【図８】
2004362023.tif 000010
【図９】
2004362023.tif 000011
【図１０】
2004362023.tif 000012
【図１１】
2004362023.tif 000013
【図１２】
2004362023.tif 000014
【図１３】
2004362023.tif 000015
【図１４】
2004362023.tif 000016
【図１５】
2004362023.tif 000017
【図１６】
2004362023.tif 000018
【図１７】
2004362023.tif 000019
【図１８】
2004362023.tif 000020
【図１９】
2004362023.tif 000021
【図２０】
2004362023.tif 000022
【図２１】
2004362023.tif 000023
【図２２】
2004362023.tif 000024
【図２３】
2004362023.tif 000025
【図２４】
2004362023.tif 000026
【図２５】
2004362023.tif 000027
【図２６】
2004362023.tif 000028
【図２７】
2004362023.tif 000029
【図２８】
2004362023.tif 000030
【図２９】
2004362023.tif 000031
【図３０】
2004362023.tif 000032
【図３１】
2004362023.tif 000033
【図３２】
2004362023.tif 000034
【図３３】
2004362023.tif 000035